(57)【要約】      （修正有）【課題】カードの表裏での凹凸の発生および不均一の厚みサイズの変化を防ぐプレイングカード矯正器を提供する。【解決手段】長方形状の底板１１と、底板１１の長辺部から立ち上がった長辺側板１２と、底板１１の短辺部から立ち上がった短辺側板１３と、底板１１、長辺側板１２、及び、短辺側板１３とは別体であり、長方形状をした矯正板１４と、を有し、全ての構成部材が木質であり調湿性を有し、底板１１と、長辺側板１２と、短辺側板１３は、底板１１に紙質プレイングカード１を載置する際の基準面となり、紙質プレイングカード１の上に矯正板１４を載置可能に構成する。【選択図】図２
0003230961.tif 000002
【実用新案登録請求の範囲】
【請求項１】
長方形状の底板と、
前記底板の長辺部から立ち上がった長辺側板と、
前記底板の短辺部から立ち上がった短辺側板と、
前記底板、前記長辺側板、及び、前記短辺側板とは別体である、長方形状をした矯正板を有し、
全ての構成部材が木質であり調湿性を有し、
前記底板と、前記長辺側板と、前記短辺側板は、前記底板に紙質プレイングカードを載置する際の基準面となり、
前記紙質プレイングカードの上に前記矯正板を載置可能に構成されたことを特徴とする紙質プレイングカードの矯正器。
【請求項２】
前記底板、前記長辺側板、前記短辺側板、及び、前記矯正板は、木質で形成されていることを特徴とする請求項１に記載の紙質プレイングカードの矯正器。  
【考案の詳細な説明】
【技術分野】
【０００１】
本考案は、曲がりや捻じれ等が生じた紙質プレイングカード（以後、単にカードと記す）を平面形状に矯正する紙質プレイングカードの矯正器に関する。
【背景技術】
【０００２】
カードはマジックやゲーム等で使用した際、人の手の水分、脂分及び空気中の水分などにより、カード中の紙繊維が膨張した状態になる。また、使用により曲がり、捻じれ等のカードの変形が生じる。従来、カードの変形を矯正する目的で、カードを重ねた状態にして、厚さ方向に圧力を加える矯正器が存在する。
【考案の概要】
【考案が解決しようとする課題】
【０００３】
従来の矯正器は、カードを複数重ねる場合の基準面が設けられていないため、重ねられた個々のカードが左右上下にズレた状態になる。この状態でカードの厚さ方向に圧力を加えた時、圧力がかかる場所とかから無い場所とが発生する為、カードの表面に凹凸が発生しカードの滑りを悪化させる原因になる。また、従来の矯正器では、カードの調湿ができないため、カードが膨張した状態で圧力を掛ける為、厚みの変化、紙質繊維の変形が起こり、カードの曲げ強度の低下、しなやかさの低下及び滑りの低下につながる。
【課題を解決するための手段】
【０００４】
本考案は、
長方形状の底板と、
前記底板の長辺部から立ち上がった長辺側板と、
前記底板の短辺部から立ち上がった短辺側板と、
前記底板、前記長辺側板、及び、前記短辺側板とは別体である、長方形状をした矯正板を有し、
全ての構成部材が木質であり調湿性を有し、
前記底板と、前記長辺側板と、前記短辺側板は、前記底板に紙質プレイングカードを載置する際の基準面となり、
前記紙質プレイングカードの上に前記矯正板を載置可能に構成されたことを特徴とする紙質プレイングカードの矯正器を提供する。
【考案の効果】
【０００５】
本考案によれば、カードの表面での凹凸の発生およびカードの曲げ強度の低下、しなやかさの低下、滑りの低下を低減するプレイングカードの矯正器を提供することができる。
【図面の簡単な説明】
【０００６】
【図１】本考案の一実施形態に係る紙質プレイングカードの矯正器を示す斜視図である。
【図２】本考案に係る紙質プレイングカードの矯正器にカードを載置し、基準面を使ってカードを揃える手順を示す斜視図である。
【図３】本考案に係る紙質プレイングカードの矯正器に載置されたカードの上に矯正板を載置する様子を示す斜視図である。
【図４】本案に係る紙質プレイングカードの矯正器によりカードを矯正している状態を示す斜視図である。
【考案を実施するための形態】
【０００７】
以下、本考案の一実施形態を図１から図４とともに説明する。図１は本考案の一実施形態に係る紙質プレイングカードの矯正器１０を示す斜視図である。
【０００８】
図１において、紙質プレイングカードの矯正器１０は、底板１１と、長辺側板１２と、短辺側板１３と、矯正板１４とを有する。底板１１は、長方形状をして、複数のカード１（後述）を載置する部分を構成する。長辺側板１２は、長方形状をして、底板１１の長辺部に固定され、立ち上がった部分を構成する。短辺側板１３は、長方形状をして、底板１１の短辺部に固定され、長辺側板１２と略同じ高さで立ち上がった部分を構成する。長辺側板１２と短辺側板１３は互いに結合している。矯正板１４は、底板１１の上に載置したカード１の上に置くことで、矯正板１４の自重によりカード１の繊維変形が生じない程度に圧力を加える。
【０００９】
底板１１と矯正板１４は調湿性を有する素材から形成され、カード１中に含まれる水分を排出させる。矯正板１４は、水分の調湿が終わった後に加えられる圧力を伝達して、底板１１と共にカード１の曲がりや捻じれ等を矯正する。なお、長辺側板１２及び短辺側板１３も調湿性を有する素材から形成してもよい。調湿性を有する材料としては、木質が好ましいが、例えば、珪藻土板等のその他の調湿性を有する板状の材料も使用可能である。
【００１０】
また、紙質プレイングカードの矯正器１０は、底板１１、長辺側板１２、短辺側板１３がそれぞれ直角になるように固定されており、それぞれ、カード１を載置する時の基準面としての役割を果たす。底板１１、長辺側板１２、短辺側板１３、矯正板１４の各面のうち、カード１に当接する面は、凸凹が除去された平面であることが好ましい。当接面の平面性が確保されていることで矯正されたカード１の平面性や形状を一定に保つことができる。
【００１１】
続いて、紙質プレイングカードの矯正器１０の使用手順に付いて図２から図４とともに説明する。矯正開始に当たって、紙質プレイングカードの矯正器１０を充分に乾燥させた状態にしておく。図２に示すように、ゲームやカードマジックなどに使用されたカード１は、底板１１上に載置され、カード１の一方の長辺側部分が長辺側板１２に当接するように、もう一方の長辺側部分からはみ出したカード１を矯正板１４で押して整える。同様に、複数のカード１の一方の短辺側部分が短辺側板１３に当接するように、もう一方の短辺側部分からはみ出したカード１を矯正板１４で押して整える。このようにして複数のカード１が整えられた状態を図３に示す。
【００１２】
図３では、複数のカード１が底板１１上に配置され、カード１の一方の長辺側部分が長辺側板１２に当接し、一方の短辺側部分が短辺側板１３に当接している。この状態でカード１がずれないように矯正板１４をカード１の上部に載置する。矯正板１４が設置された状態を図４に示す。
【００１３】
図４に示す状態では、カード１には矯正板１４の自重のみが加えられている。本案に係る紙質プレイングカードの矯正器１０は、矯正板１４の自重が加わった状態で、カード１内に吸収されている水分を吸湿する。吸湿を充分行わせるためこの状態を約５時間以上保持する。紙質プレイングカードの矯正器１０は、カード１内の水分の調湿・吸収を行うことで、カード１の曲げ強度の低下、しなやかさの低下、滑りの低下を低減する。
【００１４】
その後、矯正板１４上に重りなどの不図示の加圧手段を用いて、矯正板１４を介してカード１に圧力を加える。このカード１の曲がりや捻じれを矯正する処理を約５時間以上継続する。紙質プレイングカードの矯正器１０は、図２で説明した手段によりカード１のズレを防ぐことができるため、カード１相互のズレによる表面の凹凸の発生を抑えた矯正が可能である。
【００１５】
以上の手順により、紙質プレイングカードの矯正器１０は、カード１の曲がりや捻じれを矯正し、カード１の性能を回復することができる。これにより、紙質プレイングカードの矯正器１０により矯正した紙質プレイングカード１はカードマジックやカードプレーなどへの支障がなくなると共に、紙質プレイングカード１の使用寿命を長くすることができる。
【符号の説明】
【００１６】
１        紙質プレイングカード（カード）
１０      紙質プレイングカードの矯正器
１１      底板
１２      長辺側板
１３      短辺側板
１４      矯正板
【図１】
0003230961.tif 000003
【図２】
0003230961.tif 000004
【図３】
0003230961.tif 000005
【図４】
0003230961.tif 000006